(57)【特許請求の範囲】
【請求項１】
光源部と、
側面から入射された前記光源部の光を一方又は両方の主面から導出する導光板と、
前記導光板の一方又は両方の主面に設置され、表面に表された表示情報が表示される表示板と、
前記導光板の左側面及び右側面の近傍の表面に突出して設けられる取着可能な取着部材と、
前記導光板の少なくともいずれか１つの側面を固定する筐体部と、
前記筐体部と前記導光板との間に、前記導光板のがたつきを防止するため導光板の厚みの幅と同様の幅で形成された導光板挿入溝が形成され、かつがたつきを防止する垂直部分及び水平部分を有する、Ｌ字状に形成されたがたつき防止部材と、
前記表示板の左側面及び右側面に形成され、かつ前記表示板をスライド可能であって、前記取着部材を緩めた後、前記表示板の中央付近を前記導光板に対して引っ張ることによって、前記表示板の前記左側面及び前記右側面を中央側に引き寄せて前記表示板を取り外すために、水平に形成されたスライド溝と、
を備えていることを特徴とする表示看板。
【請求項２】
前記スライド溝の一部又は全部は、溝の開口幅が広くなるようにテーパーが形成されていることを特徴とする請求項１記載の表示看板。
【請求項３】
前記表示板は前記導光板より小さく形成されており、前記導光板に前記表示板が設置された際に、前記導光板は前記表示板の少なくとも１側面において、側面より外側に延出されていることを特徴とする請求項１又は２記載の表示看板。
【請求項４】
前記導光板は、一方又は両方の前記主面に拡散ドットを備えていることを特徴とする請求項１から３のいずれか１項記載の表示看板。
【請求項５】
前記導光板の左側面、右側面及び底面には、反射テープが貼付又は反射剤が塗布されていることを特徴とする請求項１から４のいずれ１項記載の表示看板。
【請求項６】
前記取着部材は、前記表示板と前記導光板とを挟持固定可能であることを特徴とする請求項１から５のいずれか１項記載の表示看板。
【請求項７】
さらに、前記表示板と前記導光板とを固定する固定部材を有していることを特徴とする請求項１から６のいずれか１項に記載の表示看板。
【請求項８】
床又は天井との間を支持する支持部材が前記筐体部に取り付けられていることを特徴とする請求項７に記載の表示看板。
【発明の詳細な説明】
【技術分野】
【０００１】
本発明は、所定の情報を表示する表示部材及び表示部材を備えた表示看板に関する。
【背景技術】
【０００２】
従来、表示看板１として、図９ａに示すように、表面に所定の情報を表示する箱状の乳半板からなる表示板２と、この箱状の表示板２の内部に配置され、両側面及び底面に反射テープ５が貼付された導光板３と、これらを固定する筐体部４とを備えた表示看板１がある。この表示看板１によれば、導光板３の主面から拡散される光によって、表示板２の表示情報が明るく照らし出されて、表示情報を容易に認識することができる。
【０００３】
しかしながら、かかる表示看板１は、導光板２の左右側面及び底面より外側に存在する表示板２の領域αは、導光板３に入射された光が両側面及び底面に貼付された反射テープによって跳ね返されてしまうので、領域αまで光が届かず、図９ｂに示すように、αの領域が暗くなるという課題があった。また、表示板２を交換しようとする場合、筐体部４に取り付けられているため、筐体部４を取り外して導光板１０から表示板２を取り外さなければならない。そのため、表示看板１を設置場所から外さなければならず、表示板２の交換が困難であるという課題があった。
【発明の概要】
【発明が解決しようとする課題】
【０００４】
そこで、本発明は、このような課題に鑑みなされたものであり、表示情報を有する表示板を筐体部から取り外すことなく容易に取り外して交換することができ、かつ、表示板の周囲を明るくすることができる表示部材及び表示看板を提供することを目的とする。
【課題を解決するための手段】
【０００５】
本発明は、上述の目的の少なくとも１つを達成するために以下の手段を採った。
【０００６】
本発明の表示部材は、
光源部と、
側面から入射された前記光源部の光を一方又は両方の主面から導出する導光板と、
前記導光板の一方又は両方の主面に設置され、表面に表された表示情報が表示される表示板と、
前記導光板の左側面及び右側面の近傍の表面に突出して設けられる取着可能な取着部材と、
前記表示板の左側面及び右側面に形成され、かつ前記取着部材をスライド可能なスライド溝と、
を備えていることを特徴とする。
【０００７】
本発明の表示部材によれば、取着部材が突出して設けられる導光板とこの取着部材を溝内にスライド可能なスライド溝を有する表示板とから構成されているので、導光板の取着部材をスライド溝にスライドしつつ嵌め込むことによって、表示板を導光板に取り付けることができる。このように、表示板のスライド溝に取着部材をスライドさせるのみで、導光板から表示板を取り外したり、取り付けたりすることができる。そのため、表示板の交換に要する労力を大幅に軽減することができる。また、取り外す際に、表示板の略中央を把持した状態で取り外すため、表示板を落下させる危険性を低減することができる。さらに、かかる構成を採用することで、表示板の周囲に筐体部を取り付ける必要がない。そのため、筐体部によって表示板の周囲の暗く見えることを防止することができる。
【０００８】
さらに、本発明の表示部材において、前記スライド溝は、水平方向に形成されていてもよい。水平方向のスライド溝とすることで、取着部材が水平方向へスライドすることになり、水平方向の溝で支持されることになる。そのため、重力によって取着部材がスライド溝を滑って、表示板が導光板から滑り落ちることを防止することができる。
【０００９】
さらに、本発明の表示部材において、前記スライド溝の一部又は全部は、溝の開口幅が広くなるようにテーパーが形成されていてもよい。かかる構成を採用することによって、表示板が導光板に対して若干ずれて取り付けようとした際でも、スライド溝の開口幅内に取着部材を配置すれば、スライドさせることができるため、取り付けが容易になる。また、表示部材をスライドさせていけば、表示板が導光板に対して若干ずれていても表示板が所定の位置に配置されることになる。
【００１０】
さらに、本発明の表示部材において、前記表示板は、前記導光板より小さく形成されており、前記導光板に前記表示板が設置された際に、前記導光板は前記表示板の少なくとも１側面において、側面より外側に延出されていてもよい。かかる構成を採用することによって、表示板の周囲外に延出された導光板から光が照射されるため、表示板の周囲を明るくさせることができる。そのため、表示板の周囲が暗くなることを防止することができる。また、従来の表示部材と比較して、周囲が明るく光るため、美観性に優れる表示部材とすることができる。
【００１１】
さらに、本発明の表示部材において、前記導光板は、一方又は両方の主面に拡散ドットを備えていてもよい。かかる構成を採用することによって、より主面側から光を導出して明るくすることができる。この際に、片側のみに表示情報を有する表示板とすることもでき、両側に表示情報を有する表示板とすることもできる。
【００１２】
さらに、本発明の表示部材において、前記導光板の右側面、左側面及び底面には、反射テープが貼付又は反射剤が塗布されていてもよい。かかる構成を採用することによって、導光板の側面及び底面に到達した光を導光板内に反射させて、拡散ドットで拡散させて効率的に主面から導出することができる。
【００１３】
また、本発明の表示部材において、前記取着部材は、表示板と導光板とを挟持可能であってもよい。かかる構成を採用することによって、表示板を導光板の取着部材にスライドした後に表示板と導光板とを互いに挟持固定することができる。そのため、さらなる固定手段を設けることを省略することもできる。
【００１４】
さらに、本発明の表示部材において、前記表示板と導光版とを固定する固定部材を有していてもよい。かかる構成を採用することによって、表示板と導光板とをさらに確実固定することが可能になる。
【００１５】
本発明の表示看板は、前述したいずれかの表示部材と、前記表示部材及び前記導光板を少なくともいずれか１つの側面で固定する筐体部と、を備えていることを特徴とする。かかる構成を採用することで、この筐体部を利用して、種々の設置場所に取り付けることができるようになる。
【００１６】
さらに、本発明の表示看板は、床又は天井との間を支持する支持部材が筐体部に取り付けられていてもよい。かかる構成を採用することによって、床や天井に取り付けた表示看板とすることができる。
【００１７】
さらに、本発明の表示看板は、前記筐体部は、いずれか１つの側面のみに設けられていてもよい。かかる構成を採用することによって、基本的に筐体部を有する１つの側面以外は導光板及び表示板を隠す部材は存在しないので、周囲が明るい表示看板とすることができる。
【００１８】
さらに、本発明の表示看板は、前記筐体部と前記導光板との間に、前記導光板のがたつきを防止するがたつき防止部材が設けられていてもよい。かかる構成を採用することによって、筐体部に導光板をがたつきなく固定することが可能となる。
【００１９】
さらに、本発明の表示看板は、異なる表示情報が表示されている予備表示板を複数備えていてもよい。かかる構成を採用することによって、所望の表示情報を有する予備表示板に交換することによって、随時必要な表示情報を表示できる表示看板とすることができる。
【図面の簡単な説明】
【００２０】
【図１】図１は、実施形態にかかる表示看板１００の構成の概略を示す斜視図である。
【図２】図２は、実施形態にかかる表示看板１００の各構成を分解した分解斜視図である。
【図３】図３は、実施形態にかかる表示看板１００の一部拡大分解斜視図である。
【図４】図４は、図２のＡ部の拡大図である。
【図５】図５は、導光板２０内に挿入された光が拡散ドット２５で拡散して両側主面２１から照射する状態を示した模式図である。
【図６】図６は、実施形態にかかる表示看板１００から表示板３０を取り外す状態を示す斜視図である。
【図７】図７は、実施形態にかかる表示看板１００において、表示板３０が片側の主面にのみ配置された実施形態を示す斜視図である。
【図８】図８は、実施形態にかかる表示看板１００において、筐体部６０が導光板２０の上側面２２ａ、左側面２２ｂ及び右側面２２ｃ（図２参照）の３側面に設けてある実施形態を示す斜視図である。
【図９】図９ａは、従来の表示看板を示す分解斜視図であり、図９ｂは従来の表示看板の正面図である。
【発明を実施するための形態】
【００２１】
以下、本発明にかかる表示部材及び表示看板の実施形態について、図面に沿って詳細に説明する。なお、以下に説明する実施形態及び図面は、本発明の実施形態の一部を例示するものであり、これらの構成に限定する目的に使用されるものではない。なお、以下の実施形態において、表示看板を説明することによって、同時に表示看板の一部構成である表示部材を説明することになるため、表示看板の説明によって表示部材の説明に代える。
【００２２】
実施形態にかかる表示看板１００が図１及び図２に示されている。ここで図１は、実施形態にかかる表示看板１００の斜視図を示し、図２は、実施形態にかかる表示看板１００のそれぞれの構成部品を分解した状態を示す図である。
【００２３】
本発明の実施形態にかかる表示看板１００は、図１に示すように、表示部材５０と筐体部６０とを主として備えている。表示部材５０は、図２に示すように、主として、光を照射する光源部１０と、光源部１０の光を上側面２２ａから導入し、両側主面２１から外部に導出する導光板２０と、導光板２０の両側主面２１の表面に配置され、所定の表示情報を有する表示板３０と、を主として備えている。表示看板１００は、光源部１０から導光板２０の上側面２２ａに光を入射し、入射した光を両側主面２１から出射することによって、両側主面２１に設置された表示板３０の表示情報を表示させるものである。
【００２４】
光源部１０は、図２に示すように、基板１１と、この基板１１に所定の間隔で実装された複数の光源１２と、を備えている。実施形態においては、光源１２に発光ダイオードを用いている。なお、光源部１０としては、有機発光ダイオード、蛍光管、冷陰極管、レーザー発振器等を使用することができる。光源１２の光の色は限定されるものではなく、例えば、白色、赤色、橙色、黄色、緑色、青色、藍色、又は紫色のいずれかの色若しくはこれらの色の組み合わせ等であってもよい。
【００２５】
導光板２０は、光源部１０から入射された光を導いて両側主面２１から光を出射するための部材である。導光板２０の素材としては、例えば、メチルメタクリレートやエチルメタクリレート等のメタクリル樹脂、メチルアクリレート、エチルアクリレート等のアクリル製樹脂、ポリカーボネート、ポリエチレン等の種々の素材を用いることができるが、高透過性を有する素材であれば特に限定するものではない。透過性を有していれば無色透明及び有色透明であってもよい。さらに、導光板２０は、可視光を拡散可能な微粒子状の拡散剤を添加してもよいし、可視光や紫外域の光を照射することによって蛍光を発する蛍光剤を塗布又は添加した樹脂板を用いても構わない。なお、実施形態においては、厚さが８．０ｍｍの高透過性を有するメタクリル樹脂製の板を使用している。
【００２６】
導光板２０の左側面２２ｂ及び右側面２２ｃの近傍には、図３に示すように、貫通孔２３が形成されており、この貫通孔２３には、円柱状の取着部材４０が両側主面２１の両側に突出するように設けられる。取着部材４０は、導光板２０及び２枚の表示板３０の厚さの合計より長い長さを有し、両側端部に螺合溝（図示しない。）を有する円柱状部材４１と、この円柱状部材４１の両側に取り付けられるナット部材４２と、ワッシャー４３とを備えている。同様に、図２に示すように、導光板２０の左右中央であって、上側面側２２ａ近傍及び下側面２２ｄ側近傍に表示板固定用貫通孔２８が形成されている。この表示板固定用貫通孔２８には、取着部材４０と同様に形成された固定部材４５を取り付けることができる。さらに、導光板２０の上側面２２ａ近傍には、導光板２０を後述する筐体部６０に固定するための固定用貫通孔２６が形成されている。
【００２７】
導光板２０には、図４に示すように、導光板２０の上側面２２ａを介して光源部１０から入射された光を拡散光として導出する拡散ドット２５が両側主面２１に複数マトリックス状に形成されている。なお、複数の拡散ドット２５は、略四角錐形状に凹む凹部であり、四角錐の底面に相当する位置が導光板２０の両側主面２１に位置するように設けられる。実施形態においては、四角錐型の拡散ドット２５の各辺の長さが約０．６ｍｍ、深さが約０．４ｍｍであり、隣り合う拡散ドット間のピッチが２．０ｍｍに形成されている。なお、図２に示した拡散ドット２５は、視認性容易のため現物の拡散ドットよりかなり大きく描いている。また、図２には両側主面２１の一部のみ表示しているが、実際には、全面に拡散ドット２５が付されている。
【００２８】
拡散ドット２５を形成する方法としては、レーザー加工や機械加工であってもよい。好ましくは、先端面に拡散ドット２５を反転させた形状を有する加工ドットが縦横それぞれ４つずつマトリクス状に配置されている超音波加工ホーンを使用して、超音波加工によって形成するとよい。すなわち、超音波加工用ホーンに超音波振動を印加し、導光板２０の裏面に対して垂直に超音波加工用ホーンを押圧して、加工ドットの形状が反映された形状の四角錐型拡散ドットを形成する。
【００２９】
つぎに、両側主面２１に拡散ドット２５を設けた場合に光が両側主面２１から拡散していく状態について説明する。図５Ａは、両側主面２１の同一位置に第１拡散ドット２５ａ、第２拡散ドット２５ｂを形成した導光板２０であり、図５Ｂは、両側主面２１の第１拡散ドット２５ａ、第２拡散ドット２５ｂの位置を縦方向及び横方向に１／２ピッチずらした状態の導光板２０を示す図である。両側主面２１に第１拡散ドット２５ａ、第２拡散ドット２５ｂを同一位置に設けた場合であっても、１／２ピッチずらした場合であっても、導光板２０内を通過してきた光が拡散ドット２５によって周囲に拡散する点は同様である。１／２ピッチずらした場合は、隣接する第１拡散ドット２５ａで形成される四角の頂点の中心に第２拡散ドット２５ｂが配置される関係になる。かかる構成を採用することによって、第２拡散ドット２５ｂが、隣接する四方の第１拡散ドット２５ａに対して、等距離の位置に配置され、拡散ドット２５の分散率が均一化するので両側主面２１全体の明るさが均一化し、拡散ドット２５による明暗の差を認識しづらくすることができる。なお、第１拡散ドット２５ａと第２拡散ドット２５ｂとの位置関係は、必ずしも１／２ピッチずらしたものである必要なく、第１拡散ドット２５ａのピッチ間隔に対して１／４ピッチ〜３／４ピッチの長さ分それぞれずらして配置してもよい。また、第１拡散ドット２８ａと第２拡散ドット２８ｂとの位置関係は、縦方向のみにずらしたものでもよいし、横方向のみにずらしたものでもよい。
【００３０】
導光板２０は、図３に示すように、少なくとも左側面２２ｂ、右側面２２ｃ及び下側面２２ｄの全面に反射テープ８０が貼付されており（図３には、右側面２２ｃと上側面２２ａの一部に反射テープ８０が貼付されている図が示されている。）、上側面２２ａから入射して左側面２２ｂ、右側面２２ｃ及び下側面２２ｄに到達した光を反射して拡散ドット２５に光を到達させて、両側主面２１から効率よく光を照射可能に形成されている。上側面２２ａの端部に反射テープ８０を設けることによって、上側面２２ａの一部から光が露出することを防止することができる。
【００３１】
以上の光源部１０と導光板２０は、図３に示すように、保持部材７０に配置される。保持部材７０は、断面がＵ字型の長尺部材からなる。Ｕ字型の保持部材７０の溝の幅は、導光板２０の幅と同様に８．０ｍｍに形成されている。保持部材７０の底面の表面には光源部１０が取り付けられ、光源部１０の基板１１に電源コード１４が取り付けられている。この電源コード１４は外部に設けられた電源から供給された電力を基板１１を介して光源１２に供給する。さらに、保持部材７０の溝内に光源部１０に重ねるように導光板２０が配置される。配置された導光板２０は、配置された側の側面（上側面２２ａ）から光源部１０の光が導入され、両側主面２１から導出される。保持部材７０は、取り付けられる導光板２０の側面（実施形態においては、上側面２２ａ）の長さよりも短く形成されていて、上側面２２ａの両端部は露出されている。この露出された部分に先述した反射テープ８０が貼付されることになる。
【００３２】
次に、表示板３０について説明する。表示板３０は、図２に示すように、厚さ３．０ｍｍの乳半板で形成されており、表面に文字、図形、記号又はこれらの組み合わせた所定の情報に形成されたフィルムを貼着したり、白色等の１色の下地色の文字等の表示情報が付されたフィルムを貼着したりすることで、表面に表示情報が付される。実施形態にかかる表示板３０は、表示情報として「ＲＥＳＴＡＵＲＡＮＴ」が記載されている。表示板３０は、導光板２０より一回り小さく形成されており、表示板３０を導光板２０に設置した際に、表示板上側面３２ａ、表示板左側面３２ｂ、表示板右側面３２ｃ及び表示板下側面３２ｄより外側に導光板２０が視認される。導光板２０に取り付けられる取着部材４０が存在する位置と対応する位置にスライド溝３１が形成されている。スライド溝３１は、表示板３０の表示板右側面３２ｃ及び表示板左側面３２ｂから水平に中央に向かって形成されており、取着部材４０の円柱状部材４１がスライド溝３１内をスライド可能となっている。また、スライド溝３１は、開口幅が広くなるようにテーパーに形成されている。これによって、取着部材４０の側方からスライド溝３１をスライドさせる際に、スライド溝３１と取着部材４０との中心が多少ずれて（高さ方向にずれて）配置されていても、嵌め込むにつれて表示板３０の位置が補正されて所定の高さ位置に設置されることになる。また、表示板３０の幅方向中央には、表示板３０を導光板２０に確実に固定するための固定部材４５を取り付けるための表示板貫通孔３５が形成されている。
【００３３】
筐体部６０は、図３に示すように、断面Ｕ字型の長尺部材に形成されており、両端部に後述するがたつき防止部材６３を介してＵ字型の溝内に保持部材７０及び導光板２０が挿入される。導光板２０は、筐体部６０に形成された導光板固定用穴６１ａ及び導光板２０に形成された固定用貫通孔２６に筒状体２７ａを貫通させて化粧ネジ２７で固定することによって、導光板２０は筐体部６０に吊下される。
【００３４】
がたつき防止部材６３は、導光板２０及び保持部材７０のがたつきを防止するための部材である。筐体部６０の幅は保持部材７０を挿入する必要があることから、導光板２０の厚さより幅が広く形成される。そのため、導光板２０は筐体部６０によって吊下されているが、導光板２０は筐体部６０間を前後方向にがたつくことになる。また、保持部材７０は、長手方向と高さ方向へ移動してがたつきやすい。こうしたがたつきを防止するためのものである。がたつき防止部材６３の外側の幅は、筐体部６０の溝の幅とほぼ同様の幅に形成されていて、筐体部６０の溝内に配置された際に溝内でがたつかないように形成される。一方でがたつき防止部材６３は導光板２０の厚みの幅と同様の幅で形成された導光板挿入溝６３ａが形成されており、この導光板挿入溝６３ａに導光板２０を挿入することで筐体部６０の溝の幅方向へ導光板２０がぐらつくことを防止することができる。一方で、がたつき防止部材６３はＬ字状に形成されており、垂直部分６３ｂによって、保持部材７０が長手方向へがたつくことを防止し、水平部分６３ｃによって、保持部材７０が高さ方向へがたつくことを防止する。さらに、垂直部分６３ｂ及び水平部分６３ｃのうち保持部材７０の電源コード１４と当接する部位には、図示しない電源コード用の溝が形成されている。
【００３５】
こうして作製された各構成部品は、上述したように、まず、保持部材７０に光源部１０を取り付けた後、保持部材７０の溝内に導光板２０を挿入する。一方で、筐体部６０の両側端部にがたつき防止部材６３をスクリュー６５で取り付ける。そして、導光板２０が取り付けられた保持部材７０を筐体部６０内に、導光板２０の両側端部ががたつき防止部材６３の導光板挿入溝６３ａに挿入されるように配置し、導光板固定用穴６１ａと固定用貫通孔２６とに筒状体２７ａを貫通させて化粧ネジ２７で固定して、筐体部６０に導光板２０を取り付ける。そして、導光板２０の両側主面２１に表示板３０を重ねて、取着部材４０を表示板３０のスライド溝３１及び貫通孔２３を通し、ナット部材４２を取り付ける。この際には、ナット部材４２をきつく締め付ける必要はない。さらに、固定部材４５を表示板貫通孔３５及び表示板固定用貫通孔２８を通して固定する。最後に、筐体部６０に支持部材６２を取り付けて表示看板１００とされる。こうして作製された表示看板１００は天井に支持部材６２を介して取り付けられる。
【００３６】
こうして完成した表示看板１００によれば、光源部１０で発光された光は、上側面２２ａから導光板２０内に入射され、両側主面２１から光を外部へ拡散して、表示板３０を裏側から照射する、表示板３０は、透明又は半透明に形成されているので、表示情報である「ＲＥＳＴＡＵＲＡＮＴ」の文字が明るく映し出されることになる。
【００３７】
表示板３０を交換する際には、以下の手順で行われる。まず、図６に示すように、固定部材４５を表示看板１００から取り外す。次いで、取着部材４０のナット部材４２を若干緩める。これによって表示板３０の中央付近を引っ張ることができ、引っ張ることによって中央付近をたわませて、表示板３０を導光板２０から離間させることができる。表示板３０の中央付近を離間させることで、表示板３０の表示板左側面３２ｂ又は表示板右側面３２ｃが中央側に引き寄せられる（図６は、表示板右側面３２ｃが引き寄せられた状態を表している。）。表示板右側面３２ｃが引き寄せられることで、表示板３０の右側のスライド溝３１は取着部材４０からスライド移動しつつ、取着部材４０から外される。右側のスライド溝３１が外れたら、表示板３０全体を右にスライドさせることで、取着部材４０を左側のスライド溝３１から外し、表示板３０を導光板２０から取り外すことができる。
【００３８】
表示板３０を取り付ける際には、上記手順と反対の手順で取り付ける。まず、表示板３０の左側のスライド溝３１に左側の取着部材４０を嵌め込んでいく。この際に、スライド溝３１の開口はテーパーで形成されているので、ある程度ずれていても左側面の開口内に取着部材４０が存在すれば、嵌め込んでいくことによってスライド溝３１内に取着部材４０が収まることになる。次に右側のスライド溝３１にも同様に右側の取着部材４０を嵌め込んでいく。そして、最後に固定部材４５を表示板貫通孔３５及び表示板固定用貫通孔２８に通して固定して、交換が完了する。
【００３９】
このように実施形態にかかる表示看板１００によれば、固定部材４５を取り外せば、筐体部６０を外すことなく、表示板３０を交換することができる。この際に、固定部材４５を取り外し、表示板３０を取り外せる状態にしても、表示板３０は取着部材４０に係止されているので、表示板３０が落下することがない。そのため、従来のように、筐体を外した状態で表示板が落下し、表示板を損傷する可能性を低減することができる。
【００４０】
さらに、実施形態にかかる表示看板１００は、右側面、左側面及び下側面に筐体部が存在しないので、表示板３０の表示板左側面３２ｂ、表示板右側面３２ｃ及び表示板下側面３２ｄが暗くなることを防止することができる。
【００４１】
さらに、実施形態にかかる表示看板１００は、表示板３０の周囲より延出して導光板２０が配置されているので、表示板３０の表示板左側面３２ｂ、表示板右側面３２ｃ及び表示板下側面３２ｄより外側が導光板２０の主面によって光が出射されて明るく見えることになる。そのため、表示板３０の周囲が明るく輝いて見える表示看板１００を提供することができる。
【００４２】
なお、本発明は上述した実施形態に何ら限定されることはなく、本発明の技術的範囲に属する限り種々の態様で実施し得ることはいうまでもない。
【００４３】
上述した実施形態において、導光板２０の上側面２２ａを介して光源部１０から入射された光を拡散光として導出させる手段として、拡散ドット２５として、四角錐型拡散ドットの各辺の長さが０．６ｍｍ、深さが０．４ｍｍであるとしたが、これに限定されるものではなく、四角錐型拡散ドットの各辺の長さは、例えば、０．６ｍｍ〜１．５ｍｍであっても良い。また、四角錐型拡散ドットの深さは、例えば、０．４ｍｍ〜０．８ｍｍであっても良い。いずれの場合であっても、上述した実施形態と同様の効果が得られる。また、隣り合う四角錐型拡散ドット間のピッチが２．０ｍｍとしたが、これに限定されるものではなく、例えば、約１．５ｍｍ〜約８．０ｍｍのピッチとしてもよい。いずれの場合であっても、同様の効果が得られる。また、四角錐型拡散ドットの大きさは異なっていても良い。例えば、光源部１０から遠ざかるにつれて、四角錐型拡散ドットの各辺を徐々に長くしたり、四角錐型拡散ドットの深さを徐々に深くしたりしても良い。こうすれば、光源から近く光が強い位置では屈曲される光量が小さくなり、光源から遠ざかるにつれて屈曲される光量が大きくなるため、上述した効果に加えて、四角錐型拡散ドットの明るさを均等に見せることができる。
【００４４】
また、拡散ドット２５の形状及び大きさは、特に限定するものではない。適宜様々な拡散ドットを採用することができる。拡散ドットの形状としては、例えば、四角柱型、四角錐台形型、半球型及び円錐型等種々の形状を採用することができ、その形状は特に限定するものではない。また拡散ドットは必ずしもである必要はなく溝であっても構わない。また作製方法においても超音波に限定するものではなく、例えば、レーザー加工による溝であっても構わない。また、拡散ドットは、必ずしも凹部である必要はなく、凸状に形成されていてもよい。例えば、盛り上がった線状に形成しても構わない。凸部を形成するには、スクリーン印刷やシルク印刷等によって、盛り上がるように（凸状）形成するとよい。
【００４５】
上述した実施形態においては、表示板３０と導光板２０を確実に固定するものとして、固定部材４５を使用しているが固定部材４５はなくても構わない。表示看板１００のサイズによっては、固定部材４５で固定せずとも両側のスライド溝３１と取着部材４０とで固定可能であるからである。また、この際に、取着部材４０によって導光板２０と表示板３０を挟持固定可能に形成してもよい。挟持固定可能とすることで、固定部材４５がなくても確実に導光板２０と表示板３０とを固定することができる。
【００４６】
また、上述した実施形態においては、導光板２０の左側面２２ｂ、右側面２２ｃ及び下側面２２ｄには、反射テープ８０が貼付されているが、反射テープ８０に代えて反射剤を塗布してもよい。また、必ずしも反射テープ８０を貼付しなくても構わない。さらに、導光板２０の左側面２２ｂ、右側面２２ｃ及び下側面２２ｄを粗面にしておけば、左側面２２ｂ、右側面２２ｃ及び下側面２２ｄからも光を照射でき、側面が明るい表示看板とすることができる。
【００４７】
さらに、実施形態にかかる表示看板１００は、スライド溝３１は表示板右側面３２ｃ、表示板下側面３２ｄに水平に設けられているが、スライド溝３１は水平のスライド溝に代えて又は水平のスライド溝３１に追加して、表示板上側面３２ａ、表示板下側面３２ｄに垂直のスライド溝を設けてもよい。
【００４８】
また、上述した実施形態においては、筐体部６０に取り付ける支持部材６２として、天井との間を支持する支持部材６２としたが、筐体部６０を下側面側に形成し、下側面側に設置された筐体部に台座つきの支持棒を取り付けて、床に立設設置可能に形成しても構わない。
【００４９】
また、上述した実施形態においては、両側主面に表示板３０を有する表示看板１００を説明したが、必ずしも両面である必要はなく、図７に示すように、片面のみ表示板３０を有していてもよい。この場合導光板の拡散ドットは、表示板が設置される側の反対側に設けられる。
【００５０】
また、上述した実施形態においては、筐体部６０が上側面２２ａの１側面のみであったが、必ずしも、１面のみでなく、例えば、図８に示すように、上側面２２ａ、左側面２２ｂ及び右側面２２ｃ（図２参照）の３側面に設けても構わない。この場合において、表示板３０と筐体部６０との間に導光板２０が露出するように形成することによって、表示板３０の周囲が暗くなることを防止することができる。
【産業上の利用可能性】
【００５１】
上述した実施の形態で示すように、表示看板として利用することができる。
【符号の説明】
【００５２】
１０…光源部、１１…基板、１２…光源、１４…電源コード、２０…導光板、
２１…両側主面、２２ａ…上側面、２２ｂ…左側面、２２ｃ…右側面、
２２ｄ…下側面、２３…貫通孔、２５…拡散ドット、２５ａ…第１拡散ドット、
２５ｂ…第２拡散ドット、２６…固定用貫通孔、２７…化粧ネジ、２７ａ…筒状体、
２８…表示板固定用貫通孔、３０…表示板、３１…スライド溝、３２ａ…表示板上側面、
３２ｂ…表示板左側面、３２ｃ…表示板右側面、３２ｄ…表示板下側面、
３５…表示板貫通孔、４０…取着部材、４１…円柱状部材、４２…ナット部材、
４３…ワッシャー、４５…固定部材、５０…表示部材、６０…筐体部、
６１ａ…導光板固定用穴、６２…支持部材、６３…防止部材、６３ａ…導光板挿入溝、
６３ｂ…垂直部分、６３ｃ…水平部分、６５…スクリュー、７０…保持部材、
８０…反射テープ、１００…表示看板
【図１】
0006042621.tif 000002
【図２】
0006042621.tif 000003
【図３】
0006042621.tif 000004
【図４】
0006042621.tif 000005
【図５】
0006042621.tif 000006
【図６】
0006042621.tif 000007
【図７】
0006042621.tif 000008
【図８】
0006042621.tif 000009
【図９】
0006042621.tif 000010